(57)【要約】【課題】  低コストの設備で水素ガスの漏洩を検出することが可能なる配管装置を提供する。【解決手段】  水素ガスの供給源に接続されるヘッダー８１を有する分配ユニット８と、ヘッダー８１とビル１００の専有階１０ａ……１０ｄごとに設置された複数の燃料電池１ａ……１ｄとの間に接続される複数の分配管５ａ……５ｄを備え、分配ユニット８は分配管５ａ……５ｄから漏洩した水素ガスが流入する検出空間８６を有するとともに、検出空間８６と分配管５ａ……５ｄの下流側端部に水素ガス検出部材７ａ……７ｅが設置される。【選択図】        図１
2006194409.tif 000002
【特許請求の範囲】
【請求項１】
水素ガスの供給源に接続されるヘッダーを有する分配ユニットと、
内管と外管からなり、かつ前記ヘッダーと建築物の専有階ごとに設置された複数の発電機器との間に接続される複数の分配管を備え、
前記分配管の両端部に水素ガス検出部材が設置されることを特徴とする配管装置。
【請求項２】
水素ガスの供給源に接続されるヘッダーを有する分配ユニットと、
内管と外管からなり、かつ前記ヘッダーと建築物の専有階ごとに設置された複数の発電機器との間に接続される複数の分配管を備え、
前記分配ユニットは前記分配管が接続される部分が相互に仕切られた複数の小空間と、これらの小空間が連通する検出空間とを有し、
前記検出空間及び前記分配管の下流側端部に水素ガス検出部材が設置されることを特徴とする配管装置。
【請求項３】
前記検出空間に設置される前記水素ガス検出部材の数量は一個であることを特徴とする請求項２に記載の配管装置。
【請求項４】
前記分配管は、被覆樹脂で被覆されたフレキシブル管であることを特徴とする請求項1乃至請求項３のいずれかに記載の配管装置。
【請求項５】
前記分配管は、その下流側端部が差込まれ固定される継手を介して前記発電機器に接続されるとともに、前記被覆樹脂と前記フレキシブル管との隙間から流動した水素ガスが前記継手内部を通過して前記水素ガス検出部材に捕捉されることを特徴とする請求項４に記載の配管装置。
【発明の詳細な説明】
【技術分野】
【０００１】
本発明は、水素ガスの供給管と多層階の建築物に設置された複数の発電機器（例えば燃料電池、ガスエンジン等）との間を接続する配管装置に関する。
【背景技術】
【０００２】
発電効率が高くしかもＮＯＸやＳＯＸなどの有害物質の排出がない燃料電池システムは、クリーンな分散型発電システムとして注目され、マンションや集合住宅あるいはオフィスビルなどへの適用が検討されている。この燃料電池システムにおいては、燃料（例えば都市ガス）を改質し、得られた水素ガスを空気中の酸素と反応させて水が生成される時に発生する電流を取り出して電力系統の補助電源として利用するとともに、その反応熱を利用することが検討されている。例えば、家庭に燃料電池を設置し、さらに燃料電池が排出した排熱の熱エネルギーを熱交換して湯を製造する発電機能付温水器を設けることが提案されている（特許文献１参照）。また都市ガスから水素ガスを生成する改質器を集合住宅の共用部に設置し、その水素ガスを水素ガス配管で共用部から各住戸に設置された燃料電池に供給し、燃料電池で発電される電力とそこから排出される温水を各住戸で使用する燃料電池システムが提案されている（特許文献２参照）。
【０００３】
この他、多層建築物の場合は、図７に示すような配管装置を備えた燃料電池システムが検討されている。同図において、１００は多層階（４階建）のビルであり、各専有階１０ａ……１０ｄには、燃料電池１（１ａ……１ｄ）及び貯湯タンク２（２ａ……２ｄ）が設置され、地上には都市ガスの供給管３１に接続された改質器３が設置され、この改質器３にはそこで生成された水素ガスを燃料電池１に供給するための主管３２が接続されている。主管３２は分岐継手４（４ａ……４ｄ）及び接続管３３ａ、３３ｂを介して分配管５（５ａ……５ｄ）に接続され、各分配管５の端部は各々、継手６（６ａ……６ｄ）を介して燃料電池１（１ａ……１ｄ）に接続されている。
【０００４】
改質器３と燃料電池１との間を接続するための水素ガス配管には、ＳＧＰ鋼管又はステンレス鋼管などの耐熱性及び耐食性の大なる鋼管が使用され、配管を分岐する部分あるいは接続する部分は溶接で接合するのが一般的である。また半導体製造装置などで使用されている、一対の金属製筒体の間にガスケットを挟み込み、おすナットとめすナットで締付けるようにした特殊なメカニカル継手で配管を接続することも行われている。しかして水素ガスは分子径が小さく、微小な隙間にも侵入し、継手などの接続部から漏洩し易いので、住宅あるいはオフィスビルなどでは、ガス漏れによる災害を防止することが極めて重要である。そこで、通常は、継手６（６ａ……６ｄ）に加えて、分岐継手４（４ａ……４ｄ）の総てに、各々水素ガスの漏洩を検知するための水素ガス検出部材７（７ａ……７ｈ）が設置されている。
【０００５】
しかしながら、図７に示すように漏洩が予測される部分の総てにセンサを設けると、多数のセンサを必要とし、配管コストの増大を招くので、実用的ではない。そこで、水素供給管の水素ガスの実圧力低下速度を測定し、それを水素ガスが漏洩していない場合の理論圧低下速度と比較することが提案されている（特許文献３参照）。
【０００６】
【特許文献１】特開２０００−１８７１８号公報（第５頁、図２）
【特許文献２】特開２００４−９５１８７号公報（第４〜５頁、図１）
【特許文献３】特開２００２−３３３３８１号公報（第２〜３頁、図１）
【発明の開示】
【発明が解決しようとする課題】
【０００７】
上記の漏洩検知システムによれば、減圧弁、圧力計、演算部（マイコン）を必要とするので、高価な配管システムとなるという難点がある。
【０００８】
従って、本発明の目的は、ガスの漏洩するリスクが小さい配管装置を提供することである。また本発明の他の目的は、低コストの設備で水素ガスの漏洩を検出することが可能な配管装置を提供することである。
【課題を解決するための手段】
【０００９】
上記目的を達成するために、本発明の配管装置は、水素ガスの供給源に接続されるヘッダーを有する分配ユニットと、内管と外管からなり、かつ前記ヘッダーと建築物の専有階ごとに設置された複数の発電機器との間に接続される複数の分配管を備え、前記分配管の両端部に水素ガス検出部材が設置されることを特徴とするものである。
【００１０】
また、本発明の配管装置は、水素ガスの供給源に接続されるヘッダーを有する分配ユニットと、内管と外管からなり、かつ前記ヘッダーと建築物の専有階ごとに設置された複数の発電機器との間に接続される複数の分配管を備え、前記分配ユニットは前記分配管が接続される部分が相互に仕切られた複数の小空間と、これらの小空間が連通する検出空間とを有し、前記検出空間及び前記分配管の下流側端部に水素ガス検出部材が設置されることを特徴とするものである。本発明において、前記検出空間に設置される前記水素ガス検出部材の数量は一個であることが好ましい。
【００１１】
本発明において、前記分配管は、樹脂層で被覆されたフレキシブル管であることが好ましい。
【００１２】
本発明において、前記分配管は、その下流側端部が差込み固定される継手を介して前記発電機器に接続されるとともに、前記樹脂層と前記フレキシブル管との隙間から流動した水素ガスが前記継手内部を通過して前記水素ガス検出部材に捕捉されることが好ましい。
【発明の効果】
【００１３】
本発明によれば、分配ユニットに内蔵されたヘッダーから分岐されかつ内部から漏洩した水素ガスが流動し得る隙間を有する複数の分配管から、水素ガスを燃料電池に供給するとともに、分配ユニットに分配管の隙間と連通する検出空間を設けるので、検出空間の一箇所と分配管の下流側の各端部に水素ガスを検出する部材を設置すればよく、その設置個数を従来よりも大幅に低減することができる。従って低コストの配管装置を実現することができる。
【発明を実施するための最良の形態】
【００１４】
以下本発明の詳細を添付図面により説明する。図１は本発明の実施の形態に係る配管装置の配管系統を示す図、図２はヘッダーの断面図、図３は図２のＡ−Ａ線断面図、図４は水素ガス管を模式的に示す断面図、図５は継手の断面図である。図１において図７と同一機能部分は同一の参照符号で示す。
【００１５】
図１に示すように、複数階（図では４階建て）のビル１００の各専有階１０ａ……１０ｄには、燃料電池（発電機器）１ａ……１ｄとその廃熱で加熱される媒体が流動する熱交換器（不図示）を有する貯湯タンク２ａ……２ｄが設置されている。地上には、燃料の供給管３１に接続されて、水素ガスを生成する改質器３が設置され、改質器３にはそこで得られた水素ガスを燃料電池１に供給するための主管３２が接続されている。主管３２は主管接続用継手９を介して分配ユニット８の内部に設置されたヘッダー８１に接続されている。ヘッダー８１には複数の分配管５ａ、５ｂ、５ｃ、５ｄが接続され、各分配管の端部は継手ａ……６ｄを介して、各専有階の燃料電池１ａ……１ｄに接続されている。また分配ユニット８には、水素ガス検出部材７ｅが取り付けられるとともに、継手６ａ……６ｄにも各々、水素ガス検出部材７ａ……７ｄが装着されている。上記の配管装置を構成する配管部材は、例えば次のように形成することができる。
【００１６】
図２及び図３に示すように、分配ユニット８は、密閉された直方体状の中空容器８０と、その内部に収容されたヘッダー８１を有し、ヘッダー８１は複数の分岐部８２ａ……８２ｄを介して分配管５ａ……５ｄに接続されている。中空容器８０は、平面からみて（図３参照）長辺方向に沿って伸長する仕切板８３ｅとその端部（分岐部８２ａ側）に固着された仕切板８３ａにより、分岐空間８４と検出空間８６とに区画され、さらに分岐空間８４は、仕切板８３ｂ……８３ｄにより４つの小空間８５ａ……８５ｄに区画されている。仕切板８３ｅには、各小空間８５ａ……８５ｄごとに貫通孔８７ａ……８７ｄが設けられているので、各小空間８５ａ……８５ｄは検出空間８６と連通するように構成されている。検出空間８６の一箇所には、水素ガス検出部材７ｅが一個だけ設置されている。
【００１７】
図４（ａ）に示すように、分配管５（５ａ……５ｄ）は、コルゲイト管からなるフレキシブル管５１とその外周面に被せられた被覆樹脂５３とを有し、フレキシブル管５１にクラック５４などの欠陥が発生した場合、両者の間に形成された隙間を水素ガスが流動し得るように構成されている。本発明においては、分配管は内管と外管を有しておればよく、例えば図４（ｂ）に示すように、分配管５（５ａ……５ｄ）は、直管５２と被覆樹脂５３とを有する樹脂被覆鋼管とすることもでき、直管５２にクラック５４などの欠陥が発生した場合、直管５２と被覆樹脂５３との間に形成された隙間を水素ガスが流動し得るように構成されていてもよい。フレキシブル管５１又は直管５２は、耐熱性及び耐食性を有する金属材料（例えばオーステナイト系ステンレス鋼）で形成されることが望ましい。
【００１８】
図５に示すように、継手６（６ａ……６ｄ）は、一端に分配管５が挿入され、他端にオネジ部を有する金属材料からなる継手本体６０とそこにねじ込まれるナット６１を有する。継手本体６０の内部には、奥から順に、円板状のガスケット６２と、リング状の耐火パッキン６３が装着されるとともに、ナット６１に押されて分配管５を固定するためのリテーナ６４を有する。リテーナ６４は、コーン形状を有し、ガスケット６２に対向する側の端部が内径側に折り曲げられてフレキシブル管５１の先端の谷部に当接するように形成された締付けリング６５とその内周面に嵌込まれるガイドリング６６を有する。継手本体６０の端部とナット６１の間は、Ｏリング６７でシールされている。ナット６１の内部には内周面と外周面を連通する貫通孔６１１が形成され、そこに気体のみを選択的に透過する選択透過性部材６８が封入されている。ナット６１の端部は被覆樹脂５３の外周面に当接するリップ部を有するパッキン６９でシールされている。選択透過性部材６８は、例えば、フッ素樹脂（例えばＰＴＦＥ）、ポリオレフィン（ＰＥ、ＰＰ等）、アクリル系樹脂（例えばＰＭＡ）等の高分子重合体からなる、三次元的に連続した網目構造を有し、１〜５０μｍ程度の気孔径を有する多孔質体で形成することができる。
【００１９】
上記の継手６は次の手順で分配管５と接続することができる。継手本体６０にガスケット６２及び耐火パッキン６３を挿入し、ナット６１に選択透過性部材６８とパッキン６９を挿入し、継手本体６０とナット６１との間にＯリング６７が挟着された状態で両部材を所定の締付け量（例えばフレキシブル管５１の約１山分）を残して螺着し、分配管５を継手本体６０の奥まで挿入した後、ナット６１を締付けることにより、図５に示す状態となる。
【００２０】
この継手６によれば、ナット６１の貫通孔６１１に水素ガス検出部材（図示を省略）を装着することにより、水素ガスを検出することができる。すなわちフレキシブル管５１から漏出した水素ガスは、矢印で示す経路を辿って継手６の内部を流動し、選択透過性部材６８を通過して水素ガス検出部材に捕捉される。
【００２１】
本発明において、配管部材以外の部材は、次のように構成することができる。
燃料電池１ａ……１ｄは、キャリアイオンの通過媒体となる電解質の種類によって、固体高分子形（ＰＥＦＣ）、固体酸化物形（ＳＯＦＣ）、りん酸形（ＰＡＦＣ）、溶融炭酸塩形（ＭＣＦＣ）に分類されるが、本発明においては、低温で動作し、出力密度が高いので、コンパクトで、取扱いが容易な、ＰＥＦＣが好ましい。このＰＥＦＣ形燃料電池においては、改質器で生成された水素ガスは燃料極に送られ、送風ファンで取り込まれた空気とセルスタックにおいて、反応して、水が生成され、この反応過程で直流電力が発生する。この直流電力は、インバータなどの電力変換装置により、交流に変換されて、ビルや家庭で利用することができる。
【００２２】
燃料電池１ａ……１ｄに水素ガスを供給する改質器３は、都市ガスに含まれている硫黄化合物（付臭剤）を除去する脱硫器と、都市ガスの主成分である炭化水素化合物（メタン）を、７００℃程度に保温された触媒上で反応させ、水素を主成分とする（水素：７０％、二酸化炭素：２０％、その他：１０％）改質ガスを得る水蒸気改質器及び一酸化炭素を１０ＰＰＭ〜１％になるように精製する一酸化炭素変性器とで構成される。
【００２３】
上記継手６及び分配ユニット８からの水素ガスの漏洩を検出する水素ガス検出部材７ａ〜７ｆとしては、公知の可燃性ガスを検出するためのセンサを使用することができる。例えば、センサ材料である半導体酸化物（酸化スズなど）の表面にガス分子を吸着させ、又はガス分子の表面での触媒燃焼によるセンサ材料の抵抗変化を検出する、半導体抵抗変化方式センサ、あるいは可燃性ガスと触媒材との触媒反応による発熱を、熱電変換効果により電圧信号に変換して、それを検出信号とする熱電変換方式センサなどを使用することができる。
【００２４】
上記の配管装置によれば、次のようにして燃料電池に水素ガスの供給が行われる途中で漏洩した水素ガスを検出することができる。供給管３１から燃料ガス（例えば都市ガス）が改質器３に供給されると、そこで発生した水素ガスは、主管３２から分配ユニット８に給送され、そこでヘッダー８１から各分配管５ａ……５ｄを経て、各専有階の燃料電池１ａ……１ｄに供給されることにより、発電が行われる。また発電で生じた排熱で加熱された媒体は、給湯タンク２（２ａ……２ｄ）に内蔵された熱交換器に送られ、タンク内に貯溜された水との熱交換が行われて温水が生成される。
【００２５】
長期間にわたって燃料電池１の運転が行われると、分配管５ａ……５ｄを構成するフレキシブル管５１又は直管５２が腐食して、クラック５４が発生することがあるが、その場合には、水素ガスはフレキシブル管５１（又は直管５２）と被覆樹脂５３との隙間を通り（図４参照）、分配ユニット８に戻る。この水素ガスは、分配管５ａ……５ｄと分岐部８２ａ……８２ｄの接続部の隙間などから中空容器８０の内部に形成された小空間８５ａ……８５ｄに流入し、そこから検出空間８６に流入する。検出空間８６の内部に流入した水素ガスは、そこに装着された水素ガス検出部材７ｅにより検出され、その出力信号が警報器（不図示）に送られて、警報器が作動することよりガス漏れを感知することができる。また漏洩した水素ガスが継手６ａ……６ｄに流入した場合には、そこに装着された水素ガス検出部材７ａ……７ｄにより検出される。
【００２６】
上記のように、図１に示す配管装置によれば、燃料電池１ａ……１ｄの入口側に水素ガス検出部材１ａ……１ｄを設ける以外は、改質器３の下流側に分配ユニット８を接続しそこに一個の水素ガス検出部材を設けるだけで、分配管５ａ……５ｄから漏洩した水素ガスを確実に検出することができる。したがって配管コストの低減を図ることができる。
【００２７】
図６は本発明の他の実施の形態に係る配管装置の配管系統を示す図で図１と同一部分は同一の参照符号で示し、その詳細な説明を省略する。図６の配管装置は、改質器３に接続された分配ユニット８をビル１００の屋上に設置し、その分配ユニット８の分配管５ａ……５ｄの端部を継手６ａ……６ｄを介して各階の燃料電池１ａ……１ｄに接続し、分配ユニット８に水素ガス検出部材７ｅを設置するとともに継手６ａ……６ｂに水素ガス検出部材７ａ……７ｄを設置した構造を有する。この配管装置によれば、図１のものと同様に、フレキシブル管５１又は直管５２から漏出した水素ガスはフレキシブル管５１（又は直管５２）と被覆樹脂５３との隙間を通り（図４参照）、分配ユニット８又は継手６ａ……６ｄに流入するので、これらに設置された水素ガス検出部材７ａ……７ｅで水素ガスの漏洩を検出することができる。
【００２８】
本発明は、上記の実施の形態に記載された構造に限らず、要旨を逸脱しない範囲内において種々の変更が可能である。例えば、発電機器に燃料電池を使用する替わりにガスエンジンを使用してもよい。
【図面の簡単な説明】
【００２９】
【図１】本発明の実施の形態に係る配管装置の配管系統を示す図である。
【図２】ヘッダーの断面図である。
【図３】図２のＡ−Ａ線断面図である。
【図４】（ａ）は分配管の一例を模式的に示す縦断面図、（ｂ）は分配管の他の例を模式的に示す縦断面図である。
【図５】継手の断面図である。
【図６】本発明の他の実施の形態に係る配管装置の配管系統を示す図である。
【図７】従来の配管装置の配管系統を示す図である。
【符号の説明】
【００３０】
１ａ、１ｂ、１ｃ、１ｄ：燃料電池（発電機器）、２ａ、２ｂ、２ｃ、２ｄ：貯湯タンク、３：改質器、３１：供給管、３２：主管、４ａ、４ｂ、４ｃ、４ｄ：分岐継手、５ａ、５ｂ、５ｃ、５ｄ：分配管、５１：フレキシブル管、５２：直管、５３：被覆樹脂、６ａ、６ｂ、６ｃ、６ｄ：継手、７ａ、７ｂ、７ｃ、７ｄ、７ｅ、７ｆ、７ｇ、７ｈ：水素ガス検出部材、８：分配ユニット、８０：中空容器、８１：ヘッダー、８２ａ、８２ｂ、８２ｃ、８２ｄ：分岐部、８３ａ、８３ｂ、８３ｃ、８３ｄ、８３ｅ：仕切板、８４：分岐空間、８５ａ、８５ｂ、８５ｃ、８５ｄ：小空間、８６：検出空間、８７ａ、８７ｂ、８７ｃ、８７ｄ：貫通孔、主管接続用継手：９、１００：ビル、１０ａ、１０ｂ、１０ｃ、１０ｄ：専有階
【図１】
2006194409.tif 000003
【図２】
2006194409.tif 000004
【図３】
2006194409.tif 000005
【図４】
2006194409.tif 000006
【図５】
2006194409.tif 000007
【図６】
2006194409.tif 000008
【図７】
2006194409.tif 000009